(57)【要約】      （修正有）【課題】少なくとも１つの医療デバイスを保持するラックと、複数のラックを備えるシステムと、少なくとも１つの医療デバイスをラックにおいて配置する方法とを提供する。【解決手段】少なくとも１つの医療デバイスを保持するラック１Ａ、１Ｂ、１Ｃは、少なくとも１つの医療デバイスをラック１Ａ、１Ｂ、１Ｃに接続する多数のインターフェース１０１〜１０４を備える。ここで、多数のインターフェース１０１〜１０４のそれぞれに識別コードを割り当てるように構成され、多数のインターフェース１０１〜１０４のうちの１つに接続された医療デバイスに、この医療デバイス又はこの医療デバイスに接続された制御デバイスへのインターフェース１０１〜１０４と関連付けられた識別コードを提供するように動作可能なチャネル識別デバイス１４が提供される。このようにして、少なくとも１つの医療デバイスを保持するラックが提供される。【選択図】図２
2018175877.tif 000002
【特許請求の範囲】
【請求項１】
少なくとも１つの医療デバイス（２）を保持するラック（１Ａ、１Ｂ、１Ｃ）であって、該ラック（１Ａ、１Ｂ、１Ｃ）は、少なくとも１つの医療デバイス（２）を該ラック（１Ａ、１Ｂ、１Ｃ）に接続する多数のインターフェース（１０１〜１０４）を備え、
チャネル識別デバイス（１４）であって、前記多数のインターフェース（１０１〜１０４）のそれぞれに識別コードを割り当てるように構成され、前記多数のインターフェース（１０１〜１０４）のうちの１つに接続された医療デバイス（２）に、該医療デバイス（２）又は該医療デバイス（２）に接続された制御デバイス（８）への前記インターフェース（１０１〜１０４）と関連付けられた前記識別コードを提供するように動作可能なチャネル識別デバイス（１４）によって特徴付けられ、
該医療デバイス（２）は輸液ポンプであり、容器（３）内に収容される液体が輸液線（３０、３１）を介して患者に投与され、
ラック（１Ａ、１Ｂ、１Ｃ）のうちの少なくとも１つが、接続線（６）を介してネットワーク（７）に接続され、ネットワーク（７）を介して、表示デバイス（８０）を備える制御デバイス（８）に接続され、制御デバイス（８）により、医療デバイス（２）の動作を制御及び監視することができる、
少なくとも１つの医療デバイスを保持するラック。
【請求項２】
請求項１に記載のラック（１Ａ、１Ｂ、１Ｃ）であって、該ラック（１Ａ、１Ｂ、１Ｃ）のインターフェース（１０１〜１０４）数は４つである、請求項１に記載のラック。
【請求項３】
請求項１又は２に記載のラック（１Ａ、１Ｂ、１Ｃ）であって、前記識別コードはビットシーケンスである、請求項１又は２に記載のラック。
【請求項４】
請求項３に記載のラック（１Ａ、１Ｂ、１Ｃ）であって、前記ビットシーケンスは、該ラック（１Ａ、１Ｂ、１Ｃ）において前記識別コードが関連付けられている前記インターフェース（１０１〜１０４）の連続位置を示す第１の部分を含む、請求項３に記載のラック。
【請求項５】
請求項４に記載のラック（１Ａ、１Ｂ、１Ｃ）であって、前記ビットシーケンスは、
該ラック（１Ａ、１Ｂ、１Ｃ）の第１の側に第２のラック（１Ａ、１Ｂ、１Ｃ）が配置されているかを示す第２の部分、及び／又は、
該ラック（１Ａ、１Ｂ、１Ｃ）の第２の側に第３のラック（１Ａ、１Ｂ、１Ｃ）が配置されているかを示す第３の部分、
を更に含む、請求項４に記載のラック。
【請求項６】
請求項１〜５のいずれか１項に記載のラック（１Ａ、１Ｂ、１Ｃ）であって、前記チャネル識別デバイス（１４）は多数の電子回路（１４１〜１４４）を備え、電子回路（１４１〜１４４）は前記多数のインターフェース（１０１〜１０４）のそれぞれと動作可能に接続し、関連付けられた前記インターフェース（１０１〜１０４）に前記識別コードを割り当てる役割を果たす、請求項１〜５のいずれか１項に記載のラック。
【請求項７】
請求項１〜６のいずれか１項に記載のラック（１Ａ、１Ｂ、１Ｃ）であって、該ラック（１Ａ、１Ｂ、１Ｃ）は、該ラック（１Ａ、１Ｂ、１Ｃ）の第１の側に位置する第２のラック（１Ａ、１Ｂ、１Ｃ）に接続される第１の入力ポート（１０８）、及び／又は第３のラック（１Ａ、１Ｂ、１Ｃ）に接続される第２の入力ポート（１０９）を備え、前記第１の入力ポート（１０８）及び／又は前記第２の入力ポート（１０９）は前記チャネル識別デバイス（１４）に接続され、該チャネル識別デバイス（１４）は、該ラック（１Ａ、１Ｂ、１Ｃ）の前記第１の側及び／又は前記第２の側に第２のラック（１Ａ、１Ｂ、１Ｃ）及び／又は第３のラック（１Ａ、１Ｂ、１Ｃ）が配置されているか否かを検出するように構成され、前記チャネル識別デバイス（１４）は、前記検出に基づいて前記識別コードを設定するように更に構成される、請求項１〜６のいずれか１項に記載のラック。
【請求項８】
複数のラック（１Ａ、１Ｂ、１Ｃ）を備えるシステムであって、各ラック（１Ａ、１Ｂ、１Ｃ）は請求項１〜７のいずれか１項に従って構成される、複数のラックを備えるシステム。
【請求項９】
前記システムの最大ラック（１Ａ、１Ｂ、１Ｃ）数は３つである、請求項８に記載のシステム。
【請求項１０】
前記複数のラック（１Ａ、１Ｂ、１Ｃ）のうちの１つに接続された少なくとも１つの医療デバイス（２）を備える、請求項８又は９に記載のシステム。
【請求項１１】
前記システムは表示デバイス（８、８０）を備え、該表示デバイス（８、８０）は、前記少なくとも１つの医療デバイス（２）及び／又は前記複数のラック（１Ａ、１Ｂ、１Ｃ）と通信接続し、該複数のラック（１Ａ、１Ｂ、１Ｃ）に接続された他の医療デバイス（２）に対する前記少なくとも１つの医療デバイス（２）の前記トポロジー位置を表示するように構成される、請求項１０に記載のシステム。
【請求項１２】
少なくとも１つの医療デバイス（２）をラック（１Ａ、１Ｂ、１Ｃ）上に配置する方法であって、前記ラック（１Ａ、１Ｂ、１Ｃ）は、少なくとも１つの医療デバイス（２）を該ラック（１Ａ、１Ｂ、１Ｃ）に取り付ける多数のインターフェース（１０１〜１０４）を備え、
前記ラック（１Ａ、１Ｂ、１Ｃ）のチャネル識別デバイス（１４）が、前記多数のインターフェース（１０１〜１０４）のそれぞれに識別コードを割り当て、前記多数のインターフェース（１０１〜１０４）のうちの１つに接続された医療デバイス（２）に、該医療デバイス（２）又は該医療デバイス（２）に接続された制御デバイス（８）への前記インターフェース（１０１〜１０４）と関連付けられた識別コードを提供することを特徴とし、
該医療デバイス（２）は輸液ポンプであり、容器（３）内に収容される液体が輸液線（３０、３１）を介して患者に投与され、
ラック（１Ａ、１Ｂ、１Ｃ）のうちの少なくとも１つが、接続線（６）を介してネットワーク（７）に接続され、ネットワーク（７）を介して、表示デバイス（８０）を備える制御デバイス（８）に接続され、制御デバイス（８）により、医療デバイス（２）の動作を制御及び監視することができる、
少なくとも１つの医療デバイスをラックにおいて配置する方法。
【請求項１３】
前記医療デバイス（２）が前記チャネル識別デバイス（１４）から前記識別コードを受信し、該識別コードを表示デバイス（８、８０）に送信するか、又は、
前記チャネル識別デバイス（１４）が前記識別コードを前記表示デバイス（８、８０）に送信し、
前記表示デバイス（８、８０）は、前記ラック（１Ａ、１Ｂ、１Ｃ）に接続された他の医療デバイスに対する前記医療デバイス（２）のトポロジー位置を用いて該医療デバイス（２）を表示する、請求項１２に記載の方法。
【発明の詳細な説明】
【技術分野】
【０００１】
本発明は、請求項１のプリアンブルに記載の少なくとも１つの医療デバイスを保持するラックと、複数のラックを備えるシステムと、少なくとも１つの医療デバイスをラックにおいて配置する方法とに関する。
【背景技術】
【０００２】
この種のラックは、少なくとも１つの医療デバイスをラックに接続するための多数のインターフェースを備える。
【０００３】
この種のラックは、病院環境において、流体、例えば薬剤又は栄養剤を患者に投与する輸液ポンプ等の医療デバイスを固定して保持し整理する役割を果たす。そのようなラックは一般的に、例えば医療デバイスの垂直スタックを形成することによって、ラックにより医療デバイスを空間効率のよい方法で整理することができるように、複数の医療デバイスを保持する複数の機械インターフェースを備える。ラックはここでは、ラックに取付けられた医療デバイス間の通信、及び、医療デバイスと、ナースコール、プリンター、コンピューター、バーコードリーダー等の外部周辺デバイス、又は外部通信ネットワークとの間の通信を提供する通信バックボーンとしての役割を果たす。さらに、ラックは、ラックに取り付けられた医療デバイスに電力を供給する役割を果たす。
【０００４】
例えば、市販のラックシステムでは、医療輸液ポンプ等の４つの医療デバイスをラックに接続することができ、合わせて３つのラックを互いに接続することができ、このため最大で３×４＝１２個の医療デバイスを担持することが可能なラックシステムが形成される。ラックは、ラックに取り付けられた医療デバイスが互いに通信することができ、また通信線を介して、例えばローカルエリアネットワーク（ＬＡＮ）又はインターネット等の通信ネットワークを介して外部周辺デバイスと通信することができるように相互接続される。
【０００５】
ラックシステムに接続された医療デバイスがラックを介してネットワークに接続される場合、ネットワーク内の医療デバイスを論理的に識別する、通常一意の識別子が医療デバイスと関連付けられる。そのような識別子は、ネットワークアドレスとしての役割を果たし、例えば、いわゆるＭＡＣアドレスによって構成され得る。一方、そのような論理識別子は、ラックにおける医療デバイスを位置特定する役割を果たすことができない。なぜなら、論理識別子からは、ラックにおける医療デバイスのトポロジー的な物理配置に関する結論を引き出すことができないためである。
【０００６】
一般的な病院環境では、１つのラック又は互いに接続された複数のラックを患者のベッド脇に配置することができ、これらのラックが、ラックに取り付けられた輸液ポンプ等の複数の医療デバイスを担持することができる。医療デバイスの動作を制御するために、医療デバイスに関する情報を表示するとともに、看護師又は別の使用者による輸液ポンプの輸液量又は輸液速度等の動作パラメーターの制御を可能にするディスプレイを含む制御デバイスが用いられる。
【０００７】
そのような制御デバイス、及びそのような制御デバイス上で実行される制御ツールに関して、制御デバイスのディスプレイ上で制御される医療デバイスを、ラックにおいて物理的に配置されるのと同じトポロジー配置及び順序で表示することが望ましい。一方、これには、ラックにおける医療デバイスのトポロジー位置を特定し、それにより医療デバイスの相対位置がわかり、それに従ってそれらの医療デバイスの相対位置を制御デバイス上に表示することができるようにすることが必要である。医療デバイスが患者のベッド脇に物理的に配置されているのと同じ順序及び配置で看護師が制御デバイス上で制御される医療デバイスを見る場合、表示されるデバイスと患者のベッド脇の物理デバイスとの関連付けを直感的に行うことができるので、看護師にとってデバイス制御が簡単になる。これによって、制御誤りのリスクが低減する。
【０００８】
さらに、制御デバイスは、ラックシステム上の特定の医療デバイスの固有の位置を参照することによって、看護師にとってより具体的で従いやすい指示を提供することができるか、又は特定の医療デバイスの警告状態若しくは予期しない動作挙動に関するより直接的な指示若しくはアラートを提供することができる。例えば、制御デバイスは、いずれの医療デバイスに言及しているのかを看護師が直接かつ明確に理解するように、「下から２番目のポンプ」又は「上から３番目のポンプ」を直接示唆することができる。
【０００９】
このため、ラックにおける医療デバイスの位置をトポロジー的に特定することを可能にするラックが望ましい。
【００１０】
特許文献１は、輸液ポンプの形状の複数の医療デバイスを担持するための、ラック形状の取り付け及び担体ユニットを開示している。ここでは、輸液ポンプはそれぞれ、スター型配線において別個の接続線によって制御デバイスに接続され、それによって制御デバイスは、別個の接続線を介して別個の輸液ポンプに問い合わせを行うことによって、担持ユニット上の輸液ポンプのトポロジー位置を検出することができる。
【００１１】
特許文献２から既知のシステムにおいて、輸液ポンプ等の複数の医療デバイスがモジュールの線形アレイを形成するように互いに接続されている。特許文献２は、複数の医療デバイスを担持し、機械的に保持するラックを備えるシステムには言及していない。
【先行技術文献】
【特許文献】
【００１２】
【特許文献１】欧州特許出願公開第０９６０６２７号
【特許文献２】国際公開第９８／５６４５１号
【発明の概要】
【発明が解決しようとする課題】
【００１３】
本発明の目的は、少なくとも１つの医療デバイスを保持するラックと、複数のラックを備えるシステムと、少なくとも１つの医療デバイスをラックにおいて配置する方法とを提供することであり、これによって、ラック又はラックシステムにおける医療デバイスのトポロジー位置の特定が簡単に可能になる。
【課題を解決するための手段】
【００１４】
この目的は、請求項１の特徴に従うラックによって達成される。
【００１５】
したがって、ラックは、多数のインターフェースのそれぞれに識別コードを割り当てるように構成され、多数のインターフェースのうちの１つに接続された医療デバイスに、この医療デバイス又はこの医療デバイスに接続された制御デバイスへのインターフェースと関連付けられた識別コードを提供するように動作可能なチャネル識別デバイスを備える。
【００１６】
本発明によれば、ラックはチャネル識別デバイスを備える。チャネル識別デバイスは、ラックのインターフェースのそれぞれに識別コードを割り当てる役割を果たし、それによって、各インターフェースは、そのインターフェースを識別する一意の識別コードと関連付けられる。ここで、識別コードは、ラックにおけるインターフェースの（相対）位置に基づいてインターフェースに割り当てられる。このため、特定のインターフェースの識別コードによって、ラックにおけるインターフェースの位置が特定され、それによってラックにおけるインターフェースの、他のインターフェースに対する相対位置を求めることが可能である。
【００１７】
チャネル識別デバイスは、例えば、特定のインターフェースに接続された医療デバイスに識別コードを提供し、それによって、医療デバイスは、その医療デバイスが接続されたインターフェースの識別コードに関する情報を受信する。識別コードを、例えば外部制御デバイス等に通信することによって、医療デバイスがいずれのインターフェースに接続されているかを特定することが可能になる。
【００１８】
チャネル識別デバイスは、制御デバイスと直接通信することもでき、それによって、識別コードは、医療デバイスを介して迂回することなく、ラックから制御デバイスに直接提供される。このために、ラックは、このラックと制御デバイスとの間の、例えばネットワークを介した直接通信を行うことができるように適切な通信回路部を備える。
【００１９】
ラックのインターフェース数は例えば４つとすることができるが、他のインターフェース数も可能である。
【００２０】
識別コードは例えばビットシーケンスによって構成することができ、ビットシーケンスは、ラックにおいて識別コードが関連付けられているインターフェースの連続位置を示す第１の部分を含む。識別コードは、その第１の部分において、ラックにおけるインターフェースの相対位置を示す。この識別コードを、そのインターフェースに取り付けられた医療デバイスに通信することによって、医療デバイスは、ラックにおいていずれのインターフェースに接続されているのかを知ることになる。このため、識別コードを例えば外部制御デバイスに通信することによって、制御デバイスはラックにおける医療デバイスのロケーションに関する情報を受信し、それによって制御デバイスは医療デバイスをラックにおけるその正しい位置に表示することができる。
【００２１】
例えばラックが４つのインターフェースを含む場合、ビットシーケンスの第１の部分は２ビットを含むことができる。この場合、インターフェースを、それらの連続順でビットワード００、０１、１０及び１１と関連付けることができる。ビットワード００は、例えば、ラックにおける最下位置のインターフェースに対応することができ、ビットワード１１はラックの最上位置のインターフェースに対応することができる。
【００２２】
ビットシーケンスは更なる部分を含むことができ、これらの部分は、医療デバイスが取り付けられたラックに接続された他のラックにおける医療デバイスに対する医療デバイスの位置も特定する役割を果たす。例えば、ビットシーケンスは、ラックの第１の側、例えばラックの下に第２のラックが配置されるか否かを示す第２の部分、及び／又は、ラックの第２の側、例えばラックの上に第３のラックが配置されるか否かを示す第３の部分を含むことができる。
【００２３】
ビットシーケンスの第２の部分及び第３の部分は、例えばそれぞれ厳密に１ビットに対応することができる。ここで、ビットは、ラックの関連付けられた側に更なるラックが配置されているか否かを示す役割を果たす。例えば、第２の部分に対応するビットは、当該ラックの下に別の（第２の）ラックが配置されているか否かを示す役割を果たすことができる。第３の部分に対応するビットは、当該ラックの上に別の（第３の）ラックが配置されているか否かを示す役割を果たすことができる。
【００２４】
このため、ビットシーケンスは、
ＣＢＡＡ
の形をとることができる。ここで、各大文字は１つのビットに対応する。ここで、部分「ＡＡ」は、当該ラックにおいて識別コードが関連付けられているインターフェースの連続位置を示すことができる。部分「Ｃ」は、当該ラックの下に別のラックが配置されているか否かを示す役割を果たすことができる。また、部分「Ｂ」は、当該ラックの上に別のラックが設置されているか否かを示す役割を果たすことができる。
【００２５】
１つの実施形態において、例えば、一般的な識別手段は、例えばプリント回路基板（ＰＣＢ）の形の多数の電子回路を備えることができる。ここで、電子回路は、多数のインターフェースのそれぞれと動作可能に接続し、それによって、１つの電子回路はラックの１つのインターフェースと一意に関連付けられる。電子回路は、関連付けられたインターフェースに識別コードを割り当てる役割を果たす。特に、識別コードを表すビットシーケンスの第１の部分、上記の例では部分「ＡＡ」は、特定のインターフェースと関連付けられた電子回路においてハードウェアに組み込むことができる。これは、ラックにおけるインターフェースのロケーションが変化せず、このため固定であることに起因して可能である。
【００２６】
一方、識別コードに対応するビットシーケンスの第２の部分及び第３の部分は、電子回路においてハードウェアに組み込まれない。なぜなら、そのようなビットは、当該ラックに更なるラックが接続されるか否かに依拠して変化するためである。ビットシーケンスの第２の部分及び第３の部分を設定するために、１つの実施形態において、ラックは、ラックの第１の側に位置する第２のラックに接続される第１の入力ポート、及び／又はラックの第２の側の第３のラックに接続される第２の入力ポートを備えることができる。ここで、第１の入力ポート及び／又は第２の入力ポートはチャネル識別デバイスに接続され、チャネル識別デバイスは、ラックの第１の側及び／又は第２の側に第２のラック及び／又は第３のラックが配置されているか否かを検出するように構成される。このため、チャネル識別デバイスは、第１の入力ポート及び第２の入力ポートを介して、当該ラックに更なるラックが接続されているか否かを検出する。この検出に基づいて、次に、チャネル識別デバイスは識別コードを設定し、特に、識別コードに対応するビットシーケンスの第２の部分及び第３の部分のビットを設定する。
【００２７】
検出が、当該ラックの上又は下に更なるラックが存在するか否かの検出に限定される場合、ラックのインターフェースへの識別コードの一意の割り当ては、互いに接続された最大で３つのラックについてのみ可能である。これは、ビットシーケンスの第２の部分及び第３の部分が、最も外側の２つのラック、すなわち、ラックの垂直スタックの最下ラック及び最上ラック間に配置される複数の中央ラックについて同一になることに起因する。ラックに取り付けられた医療デバイスの相対位置の特定を、互いに接続されたより多くの数のラックについても可能にするために、例えば、当該ラックの下及び上のラック数を検出し通信することができる。ラックが、例えば、そのラックの下に２つのラックが配置され、そのラックの上に３つのラックが配置されているという情報を受信する場合、ラックにおけるインターフェースの相対位置を示すビットシーケンスの第１の部分と、ラックの下及び上に配置される更なるラックの数を示すビットシーケンスの第２の部分及び第３の部分（この場合、ビットシーケンスの第２の部分及び第３の部分は、当該ラックの下又は上の更なるラック数を示す２つ以上のビット、例えば２ビット又は３ビットを含むことになる）とを組み合わせることによって、ラックの各インターフェースに一意の識別コードを割り当てることが可能になる。
【００２８】
特定の実施形態では、システムは複数のラックを含み、少なくとも１つの医療デバイスを医療ラックのうちの１つに接続することができ、システムの最大ラック数は３つである。この場合、上記で指摘したように、識別コードは、単に、当該ラックの下及び／又は上に更なるラックが設置されているか否かを検出することによって生成することができ、それによって、チャネル識別デバイスを実現するための電子回路が簡単で安価なものとなる。
【００２９】
複数のラックを備えるシステムが、表示デバイスを更に備えることができる。表示デバイスは、少なくとも１つの医療デバイス、及び／又はラックと通信接続し、複数のラックに接続された他の医療デバイスに対するその少なくとも１つの医療デバイスのトポロジー位置を表示するように構成される。医療デバイスは、例えば、ラックから一意の識別コードを受信し、この識別コードを表示デバイスに通信する。表示デバイスは識別コードを処理し、このようにして、他の医療デバイスに対するその医療デバイスのトポロジー位置をディスプレイ上に表示することができるようになる。このため、医療デバイスは、例えば患者のベッド脇に物理的に位置するのと同じ順序で、使用者、例えば病院環境における看護師に表示され、それによって、表示されるデバイスと物理デバイスとの関連付けが簡単で直感的なものとなる。
【００３０】
この目的は、少なくとも１つの医療デバイスをラックにおいて配置する方法によって更に達成される。ここで、ラックは、少なくとも１つの医療デバイスをラックに取り付ける多数のインターフェースを備える。ラックのチャネル識別デバイスが、多数のインターフェースのそれぞれに識別コードを割り当て、多数のインターフェースのうちの１つに接続された医療デバイスに、この医療デバイス又はこの医療デバイスに接続された制御デバイスへのインターフェースと関連付けられた識別コードを提供する。
【００３１】
ラックについて及び複数のラックを備えるシステムについて上記で説明した利点及び有利な実施形態は、類似した形で、上記で述べた方法にも当てはまり、上記の説明が参照される。
【００３２】
この方法において、医療デバイスは、有利にはチャネル識別デバイスから識別コードを受信し、この識別コードを表示デバイスに送信するか、又は表示デバイスは識別コードをラックの通信回路部を介してチャネル識別デバイスから直接受信する。次に、表示デバイスは、医療デバイスを、ラックに接続された他の医療デバイスに対するその医療デバイスのトポロジー位置を用いて表示し、それによって、ディスプレイにおける医療デバイスの順序及び位置が、患者のベッド脇の物理的な医療デバイス、例えば輸液ポンプの順序及び配置と等しくなり、それによって、ディスプレイと医療デバイスの物理配置との間の簡単で直感的な関連付けを行うことができる。
【００３３】
続いて、本発明の基礎をなす着想を、図面に示す実施形態に関して以下でより詳細に説明する。
【図面の簡単な説明】
【００３４】
【図１】患者のベッド脇のラックシステムの概略図である。
【図２】ラックの論理構造の概略図である。
【図３】互いに接続された３つのラックの論理構造の概略図である。
【発明を実施するための形態】
【００３５】
図１は、例えば病院環境内の集中治療室において、患者のベッド脇に一般的に見ることができるような医療デバイス２の全体構成を示している。本明細書において、複数のラック１Ａ、１Ｂ、１Ｃがスタンド５上に配置され、医療デバイス２を、整理され機械的に固定された形式で機械的に保持する役割を果たす。医療デバイス２が取り付けられたラック１Ａ、１Ｂ、１Ｃの構成は、患者のベッド４の近傍に設置される。ここで、医療デバイス２は、例えば、容器３内に収容される薬剤又は栄養剤等の液体を、輸液線３０、３１を介して患者に投与する役割を果たす、注射器ポンプ又は容積ポンプ等の輸液ポンプとすることができる。
【００３６】
通常、輸液ポンプとして構成されるそのような医療デバイス２は、スタンド５上に医療デバイス２の垂直スタックを形成するようにラック１Ａ、１Ｂ、１Ｃにおいて整理される。スタンド５は、スタンド５が患者のベッド４に対し又は患者のベッド４と共に或る程度移動可能であるように車輪を有することができる。スタンド５は、医療デバイス２を担持するためのラック１Ａ、１Ｂ、１Ｃが取り付けられるポストの形状を有することができ、その上端に、患者に投与される薬剤若しくは栄養剤又は他の流体を収容する複数の容器３を固定する、フック等の形状の固定手段を備える。
【００３７】
ラック１Ａ、１Ｂ、１Ｃは、患者のベッド脇に整理された形式で医療デバイス２を配置する役割を果たす。本明細書において、ラック１Ａ、１Ｂ、１Ｃは、医療デバイスの電源を提供し、医療デバイス２のセキュアで信頼性の高い固定を確保し、医療デバイス２同士の通信、及び医療デバイス２と外部通信ネットワーク７との通信、及び医療デバイス２とナースコール、プリンター、コンピューター、モニター等の外部周辺デバイスとの通信を提供する。
【００３８】
従来から、医療デバイス２はラック１Ａ、１Ｂ、１Ｃに固定することができ、このために、ラック１Ａ、１Ｂ、１Ｃに機械的かつ電気的に接続される。それによって、各医療デバイス２はラック１Ａ、１Ｂ、１Ｃを介して電力の供給を受けることができ、他の医療デバイス２並びに外部デバイス及び／又は外部通信ネットワーク７と通信することができる。このため、ラック１Ａ、１Ｂ、１Ｃは、通信設備及び電源を提供し、医療デバイス２を、病院通信ネットワークと病院管理システムとを含む病院環境に組み込む通信バックボーンとしての役割を果たす。
【００３９】
図１の例において、３つのラック１Ａ、１Ｂ、１Ｃがスタンド５に取り付けられる。ここで、各ラック１Ａ、１Ｂ、１Ｃには、多数の医療デバイス２、例えばラック１Ａ、１Ｂ、１Ｃにつき最大で４つの医療デバイス２を取り付けることができる。このため、３つのラック１Ａ、１Ｂ、１Ｃが存在する場合、患者のベッド脇のラック１Ａ、１Ｂ、１Ｃによって合わせて１２個の医療デバイス２を配置することができる。
【００４０】
ラック１Ａ、１Ｂ、１Ｃのうちの少なくとも１つ、所与の例では最下ラック１Ｃが、接続線６を介してネットワーク７、例えばローカルエリアネットワーク（ＬＡＮ）に接続され、ネットワーク７を介して、表示デバイス８０を備える制御デバイス８に接続される。制御デバイス８により、医療デバイス２の動作、例えば輸液ポンプのポンプ動作を制御及び監視することができる。制御デバイス８は、患者のベッド脇又は病院の別の中央制御室に設置することができる。
【００４１】
１つの実施形態では、制御デバイス８は、スタンド５又はラック１Ａ、１Ｂ、１Ｃのうちの１つに取り付けることもできる。この場合、別個の接続線６は不要である。むしろ、制御デバイス８は、例えば、医療デバイス２をラック１Ａ、１Ｂ、１Ｃに取り付けるために設けられた固定位置において制御デバイス８をラック１Ａ、１Ｂ、１Ｃに取り付け、それによって、ラック１Ａ、１Ｂ、１Ｃに取り付けられた医療デバイス２と制御デバイス８との間の通信が、ラック１Ａ、１Ｂ、１Ｃを介して行われるようにするか、又は制御デバイス８を取り付けるために特に設けられた固定位置において制御デバイス８を取り付けるか、又は追加ラックを取り付けるために設けられたラック１Ａ、１Ｂ、１Ｃの固定位置に制御デバイス８を取り付けることによって、ラック１Ａ、１Ｂ、１Ｃのうちの１つに直接接続することができる。
【００４２】
制御デバイス８は、例えば、輸液ポンプの動作を制御するための輸液管理部と呼ばれる制御ツールを実行することができる。ここでは、輸液管理部により、特定の輸液ポンプの輸液速度及び輸液量等の制御パラメーターを制御及び監視することができ、それによって、制御デバイス８により、使用者、例えば看護師又は医師は、医療デバイス２を構成する輸液ポンプの動作を適応させることができ、動作を監視することができ、場合によっては、動作中に誤りが生じた場合に警告を受けることができる。
【００４３】
制御デバイス８において、患者のベッド脇のラック１Ａ、１Ｂ、１Ｃにおける医療デバイス２の物理配置に対応する配置及び順序で医療デバイス２を表示することが望ましい。これは、動作パラメーターの簡単で直感的な入力、及び制御デバイス８上に表示され、制御デバイス８によって提供される情報と医療デバイス２との簡単な関連付けを可能にすることによって、制御デバイス８上の輸液管理部の、看護師又は医師に対する使いやすさを改善するために望ましい。
【００４４】
一般的に、ラック１Ａ、１Ｂ、１Ｃ、及びラック１Ａ、１Ｂ、１Ｃを介して医療デバイス２がネットワーク７に接続される場合、医療デバイス２は、それらのネットワークアドレス、例えばそれらのＭＡＣアドレスによってネットワーク７内で論理的に識別される。一方、この論理的識別は、制御デバイス８が、ラック１Ａ、１Ｂ、１Ｃにおける医療デバイス２のトポロジー的な物理配置を特定することを可能にしない。特に、制御デバイス８は、医療デバイス２がラック１Ａ、１Ｂ、１Ｃにおける医療デバイス２の垂直スタックに沿って最下部又は最上部又は或る場所に設置されているかをネットワークアドレスにより知ることはない。
【００４５】
制御デバイス８が、ラック１Ａ、１Ｂ、１Ｃにおける医療デバイス２の、他の医療デバイス２に対するトポロジー的な物理配置に関して知ることを可能にするために、図２及び図３に概略的に示すように、ラック１Ａ、１Ｂ、１Ｃはそれぞれ、例えばプリント回路基板（ＰＣＢ）の形の電子回路１４１〜１４４を備えるチャネル識別デバイス１４を備える。ここでは、各電子回路１４１〜１４４は電子回路部を含む１つのプリント回路基板として構成することができ、電子回路ごとに１つのモジュラー電子部品が設けられるようになっている。
【００４６】
電子回路１４１〜１４４（図２を参照）は、それぞれ、医療デバイス２をラック１Ａ、１Ｂ、１Ｃに接続するための１つのインターフェース１０１〜１０４に接続されている。インターフェースは、医療デバイス２の機械的接続及び電気的接続としての役割を果たし、医療デバイス２を電源１１及び通信バス１２に接続する。通信バス１２は、全てのインターフェース１０１〜１０４を接続部１０５、１０６に接続する。接続部１０５、１０６は、別のラック１Ａ、１Ｂ、１Ｃ又はネットワーク７（及びネットワーク７を介して制御デバイス８）に接続することができる。接続部１０５、１０６及び更なる接続部１０７は、電力バス１３、及び電力バス１３を介して電源１１に更に接続される。このため、接続部１０５〜１０７を介して、ラック１Ａ、１Ｂ、１Ｃと外部電源との接続、及び電力連系（ｐｏｗｅｒ  ｉｎｔｅｒｃｏｎｎｅｃｔｉｏｎ）のための他のラック１Ａ、１Ｂ、１Ｃとの接続を達成することができる。
【００４７】
インターフェース１０１〜１０４及び接続部１０５〜１０７は、ラック１Ａ、１Ｂ、１Ｃのハウジング１０上に配置され、ハウジング１０は、電源１１と、電子回路１４１〜１４４を備える内部識別手段１４とを含む。
【００４８】
電子回路１４１〜１４４を用いて、特定の電子回路１４１〜１４４と関連付けられたインターフェース１０１〜１０４が識別される。４つのインターフェース１０１〜１０４が存在するので、ラック１Ａ、１Ｂ、１Ｃにおけるインターフェース１０１〜１０４の（相対）位置を特定するのに２ビットで十分である。例えば、最下インターフェース１０４はビットワード００を有することができ、その上のインターフェース１０３はビットワード０１を有することができ、次のインターフェース１０２はビットワード１０を有することができ、最上インターフェース１０１はビットワード１１を有することができる。そのようなビットワードは電子回路１４１〜１４４においてハードウェアに組み込まれ、特定のインターフェース１０１〜１０４に取り付けられた医療デバイス２に提供される。例えば、医療デバイス２は、最上インターフェース１０１に接続される場合、関連付けられた電子回路１０１からビットワード１１を受信し、この情報を制御デバイス８に通信することができる。したがって、制御デバイス８はラック１Ａ、１Ｂ、１Ｃにおいて医療デバイス２が取り付けられたインターフェース１０１に関する情報を受信することができる。
【００４９】
更なるラック１Ａ、１Ｂ、１Ｃが存在する場合があるので（図１及び図３を参照）、特定のラック１Ａ、１Ｂ、１Ｃにおいて医療デバイス２が取り付けられたインターフェース１０１〜１０４の識別情報は、複数のラック１Ａ、１Ｂ、１Ｃにおける医療デバイス２の垂直スタック全体における医療デバイス２の相対位置を特定するのに十分でない。この理由から、ラック１Ａ、１Ｂ、１Ｃのハウジング１０において、ハウジング１０の下側において入力ポート１０８を出力ポート１１０と組み合わせて配置し、ハウジング１０の上側において入力ポート１０９を出力ポート１１１と組み合わせて配置する。そのような入力ポート１０８、１０９及び出力ポート１１０、１１１は、当該のラック１Ａ、１Ｂ、１Ｃの上及び／又は下に更なるラック１Ａ、１Ｂ、１Ｃが配置されるか否かに関する情報を提供する役割を果たす。ラック１Ａ、１Ｂ、１Ｃの下に別のラック１Ａ、１Ｂ、１Ｃが配置される場合、この更なるラック１Ａ、１Ｂ、１Ｃは入力ポート１０８と接続される。ラック１Ａ、１Ｂ、１Ｃの上に更なるラック１Ａ、１Ｂ、１Ｃが配置される場合、この更なるラック１Ａ、１Ｂ、１Ｃは入力ポート１０９に接続される。
【００５０】
入力ポート１０８が線１４５を介して全ての電子回路１４１〜１４４と接続され、同様に、入力ポート１０９は線１４６によって全ての電子回路１４１〜１４４に接続される。
【００５１】
図３の配置において、３つのラック１Ａ、１Ｂ、１Ｃが互いの上に配置され、垂直スタックを形成する。各ラック１Ａ、１Ｂ、１Ｃは、２つの入力ポート１０８、１０９及び２つの出力ポート１１０、１１１を備える。ラック１Ａ、１Ｂ、１Ｃは、入力ポート１０８、１０９及び出力ポート１１０、１１１を介して相互接続される。特に、最下ラック１Ｃはその入力ポート１０９及びその出力ポート１１１を介して、それぞれ上のラック１Ｂの入力ポート１１０及び出力ポート１０８に接続される。同様に、ラック１Ｂは、その入力ポート１０９及びその出力ポート１１１を介して、それぞれ上のラック１Ａの出力ポート１１０及び入力ポート１０８に接続される。
【００５２】
各ラック１Ａ、１Ｂ、１Ｃは、入力ポート１０８、１０９を介して、当該ラック１Ａ、１Ｂ、１Ｃの下又は上に更なるラック１Ａ、１Ｂ、１Ｃが配置されているか否かの情報を受け取る。同様に、各ラック１Ａ、１Ｂ、１Ｃは、出力ポート１１０、１１１を介して、自身が別のラック１Ａ、１Ｂ、１Ｃの上又は下に設置されているか否かに関する情報を提供する。
【００５３】
入力ポート１０８、１０９を介して受信される情報に基づいて、電子回路１４１〜１４４を備えるチャネル識別デバイス１４において、インターフェース１０１〜１０４ごとに識別コードが形成され、それによって、ラック１Ａ、１Ｂ、１Ｃの垂直スタックのラック１Ａ、１Ｂ、１Ｃの各インターフェース１０１〜１０４が、ラック１Ａ、１Ｂ、１Ｃの構成の他のインターフェース１０１〜１０４に対し自身を識別する一意の識別コードを仮定する。
【００５４】
識別コードは、幾つかの部分を含むビットシーケンスによって形成されることが好ましい。ここで、２つのビット「ＡＡ」を含む第１の部分は特定のラック１Ａ、１Ｂ、１Ｃにおけるインターフェース１０１〜１０４を識別し、１つのビット「Ｃ」を表す第２の部分は、当該ラック１Ａ、１Ｂ、１Ｃの下に更なるラック１Ａ、１Ｂ、１Ｃが配置されているかに依拠して設定することができ、１つのビット「Ｂ」を表す第３の部分は、当該ラック１Ａ、１Ｂ、１Ｃの上に更なるラック１Ａ、１Ｂ、１Ｃが配置されているかに依拠して設定することができる。
【００５５】
このため、識別コードは、例えば、
ＣＢＡＡ
の形のビットシーケンスとなる。
【００５６】
当該ラック１Ａ、１Ｂ、１Ｃの下にラック１Ａ、１Ｂ、１Ｃが配置されている場合、対応するビット「Ｃ」は１に設定され、そうでない場合、０に設定される。当該ラック１Ａ、１Ｂ、１Ｃの上に更なるラック１Ａ、１Ｂ、１Ｃが配置されている場合、対応するビット「Ｂ」は０に設定され、そうでない場合、１に設定される。
【００５７】
このため、図３の例では、最下ラック１Ｃのビット「Ｂ」は値０を仮定し、ビット「Ｃ」は値０を仮定する。中央ラック１Ｂの場合、ビット「Ｂ」は値０を仮定するのに対し、ビット「Ｃ」は値１を仮定する。最上ラック１Ａの場合、ビット「Ｂ」は値１を仮定し、ビット「Ｃ」は値１を仮定する。
【００５８】
このため、図３の例において、最下ラック１Ｃのインターフェース１０３に接続された医療デバイス２、例えば輸液ポンプは、インターフェース１０３と関連付けられた電子回路１４３から、ビットシーケンス０００１を有する識別コードを取得する。すなわち、下にラックが設置されておらず、当該ラック１Ｃの上にラック１Ｂが設置され、下から２番目のインターフェース１０３は、当該ラック１Ｃの関連電子回路１４３においてハードウェアに組み込まれたビット０１と関連付けられている。
【００５９】
中央ラック１Ｂのインターフェース１０３に接続された医療デバイス２は、ビットシーケンス１００１を有する識別コードを取得する。なぜなら、ラック１Ｃが下に設置され、当該ラック１Ｂの上にラック１Ａが設置され、下から２番目のインターフェース１０３は、当該ラック１Ｂの関連電子回路１４３においてハードウェアに組み込まれたビット０１と関連付けられているためである。
【００６０】
最上ラック１Ａのインターフェース１０４に接続された医療デバイス２は、ビットシーケンス１１００を有する識別コードを取得する。なぜなら、ラック１Ｂが下に設置され、当該ラック１Ａの上にラックが設置されず、インターフェース１０４は、当該ラック１Ａの関連電子回路１４４においてハードウェアに組み込まれたビット００と関連付けられているためである。インターフェース１０１に接続された医療デバイス２は、ビットシーケンス１１１１を有する識別コードを取得する。なぜなら、ラック１Ｂが下に設置され、当該ラック１Ａの上にラックが設置されず、インターフェース１０１は、当該ラック１Ａの関連電子回路１４１においてハードウェアに組み込まれたビットワード１１と関連付けられているためである。
【００６１】
概して、最上ラック１Ａのインターフェース１０１〜１０４は、数値１２〜１５に対応する、１１００〜１１１１の範囲をとる識別コードと関連付けられる。中央ラック１Ｂのインターフェース１０１〜１０４は、数値４〜７に対応する、１０００〜１０１１の範囲をとる識別コードと関連付けられ、最下ラック１Ｃのインターフェース１０１〜１０４は、数値０〜３に対応するビットシーケンス００００〜００１１の識別コードと関連付けられる。
【００６２】
１つのラックしか存在しない場合、そのようなラックのインターフェース１０１〜１０４の識別コードは０１００〜０１１１の範囲をとり、数値８〜１１に対応する。
【００６３】
２つのラックが存在する場合、上側ラックのインターフェース１０１〜１０４は、数値１２〜１５に対応する識別コード１１００〜１１１１と関連付けられる。下側ラックは、数値０〜３に対応する識別コード００００〜００１１と関連付けられる。
【００６４】
このため、ラック１Ａ、１Ｂ、１Ｃの数が変化する場合、各ラック１Ａ、１Ｂ、１Ｃのインターフェース１０１〜１０４の識別コードも変化する。一方、それぞれの場合に、各ラック１Ａ、１Ｂ、１Ｃの各インターフェース１０１〜１０４は一意の識別コードを有し、この識別コードは特定のラック１Ａ、１Ｂ、１Ｃの特定のインターフェース１０１〜１０４に取り付けられた医療デバイス２に送信され、医療デバイス２から制御デバイス８に通信することができる。このため、制御デバイス８はラック１Ａ、１Ｂ、１Ｃにおける医療デバイス２の相対位置に関する情報を受信する。そのような情報を用いて、制御デバイス８は、患者のベッド脇のラック１Ａ、１Ｂ、１Ｃにおける医療デバイス２の物理配置に一致する、ラック１Ａ、１Ｂ、１Ｃに接続された他の医療デバイス２に対する位置及び順序で、医療デバイス２を表示することができる。
【００６５】
記載の実施形態を用いると、ビット部分「ＣＢ」は最大で３つのラック１Ａ、１Ｂ、１Ｃの区別を可能にするので、ラック１Ａ、１Ｂ、１Ｃの最大数は３つに制限される。例えば、４つのラック１Ａ、１Ｂ、１Ｃが存在する場合、２つの中央ラック１Ａ、１Ｂ、１Ｃが同じビット部分「ＣＢ」を有することになるので、一意の識別はもはや可能でない。
【００６６】
一方、原理的に、本発明は、４つ以上のラック１Ａ、１Ｂ、１Ｃを有するラック１Ａ、１Ｂ、１Ｃの配置にも適用可能である。その場合、入力１０８、１０９及び出力１１０、１１１を介して、例えば、幾つのラック１Ａ、１Ｂ、１Ｃがラック１Ａ、１Ｂ、１Ｃの下及び／又はラック１Ａ、１Ｂ、１Ｃの上に設置されるかをラック１Ａ、１Ｂ、１Ｃ間で通信することができ、それによって、そのような情報により、再び各ラック１Ａ、１Ｂ、１Ｃの各インターフェース１０１〜１０４に一意の識別コードを割り当てることができる。
【００６７】
最大３つのラック１Ａ、１Ｂ、１Ｃのための記載の解決策は、原理的に、当該ラック１Ａ、１Ｂ、１Ｃの上又は下に更なるラック１Ａ、１Ｂ、１Ｃが接続されているか否かが検出されることしか必要としないので、非常に簡単で安価な方式で実装することができるという利点を有する。これは、単純な検出回路部を用いることによって非常に簡単に実装することができるのに対し、４つ以上のラック１Ａ、１Ｂ、１Ｃの接続を可能にする解決策は更なる通信回路部を必要とする。
【００６８】
本発明の基礎をなす着想は、上記の実施形態に限定されない。特に、輸液ポンプ以外の医療デバイス２もラックに接続することができる。原理的に、ラックは垂直スタックを形成する必要はなく、並べて又は行列状の構成で配置することもできる。
【符号の説明】
【００６９】
１Ａ、１Ｂ、１Ｃ  ラック
１０  ハウジング
１０１〜１０４  医療デバイス用のインターフェース
１０５〜１０７  接続部
１０８、１０９  入力ポート
１１０、１１１  出力ポート
１１  電源
１２  通信バス
１３  電力バス
１４  チャネル識別デバイス
１４１〜１４４  電子回路
１４５、１４６  線
２  医療デバイス
３  液体容器
３０、３１  輸液ライン
４  患者のベッド
５  スタンド
６  通信線
７  ネットワーク
８  制御デバイス
８０  表示デバイス
【図１】
2018175877.tif 000003
【図２】
2018175877.tif 000004
【図３】
2018175877.tif 000005